(57)【要約】  本発明は、回転軸；前記回転軸が配置されるホールを含むステータ；前記ステータの外側に配置されるロータ；前記回転軸と結合するファン；および前記ステータおよび前記ロータが配置されるハウジングを含み、前記ロータはヨークと前記ヨークと結合する第１マグネットを含み、前記第１そのネットと前記ステータの間に配置される磁性流体をさらに含むファンモーターを提供し、ステータとロータのマグネットとの隙間に充填された磁性流体がモーターの内部を密閉することによって、塩水や異物がモーターの内部に流入することを防止する有利な効果を提供する。  【選択図】図3
2019523625.tif 000002
【特許請求の範囲】
【請求項１】
回転軸；
前記回転軸が配置されるホールを含むステータ；
前記ステータの外側に配置されるロータ；
前記回転軸と結合するファン；および
前記ステータおよび前記ロータが配置されるハウジングを含み、
前記ロータはヨークと前記ヨークと結合する第１マグネットを含み、
前記第１マグネットと前記ステータの間に配置される磁性流体をさらに含む、ファンモーター。
【請求項２】
前記磁性流体は前記第１マグネットの下端部に塗布される、請求項１に記載のファンモーター。
【請求項３】
前記ヨークは前記ヨークの下端で前記回転軸方向に折り曲げられて延びる飛散防止部を含む、請求項２に記載のファンモーター。
【請求項４】
前記飛散防止部の上面と前記第１マグネットの下面は面接触する、請求項３に記載のファンモーター。
【請求項５】
前記ハウジングは前記ハウジングの下面から円筒状に上側に突出して内周面を有する柱部を含み、
前記柱部は前記回転軸と前記ステータの間に配置される、請求項１に記載のファンモーター。
【請求項６】
前記ファンは前記回転軸および前記ロータと結合するハブを含み、
前記ロータの前記ヨークは前記ハブと前記ステータの間に配置され、
前記ロータの前記第１マグネットは前記ヨークと前記ステータの間に配置される、請求項５に記載のファンモーター。
【請求項７】
回転軸；
前記回転軸が配置されるホールを含むステータ；
前記ステータの外側に配置されるロータ；
前記回転軸と結合するファン；および
前記ステータおよび前記ロータが配置されるハウジングを含み、
前記ロータはヨークと前記ヨークと結合する第１マグネットを含み、
前記ファンまたは前記ハウジングのうち少なくとも一つに第２マグネットが配置され、
前記第２マグネット上に配置される磁性流体をさらに含む、ファンモーター。
【請求項８】
前記第２マグネットは表面の一部が外部に露出するように前記ファンに結合する、請求項７に記載のファンモーター。
【請求項９】
前記ハウジングは前記ファンモーターの下端部と向かい合う底面を含み、
前記第２マグネットは露出した表面が前記ハウジングの前記底面に向かうように前記ファンの下端部に結合する、請求項８に記載のファンモーター。
【請求項１０】
前記ハウジングは前記ファンモーターの下端部と向かい合う底面を含み、
前記第２マグネットは表面の一部が外部に露出するように前記ハウジングの前記底面に結合する、請求項７に記載のファンモーター。
【請求項１１】
前記ハウジングは、
前記底面から前記回転軸方向に突出する飛散防止部をさらに含む、請求項８または請求項１０に記載のファンモーター。
【請求項１２】
前記飛散防止部は前記回転軸の中心を基準として前記ファンの外側と前記第２マグネットの間に配置される、請求項１１に記載のファンモーター。
【請求項１３】
前記飛散防止部は前記回転軸の中心を基準として円周方向に沿って前記ハウジングの前記底面から上側に突出する、請求項１１に記載のファンモーター。
【請求項１４】
前記第２マグネットは前記回転軸を中心として前記ファンの半径内に配置される、請求項７に記載のファンモーター。
【請求項１５】
前記磁性流体は前記回転軸方向に前記回転軸と一部がオーバーラップされる、請求項１４に記載のファンモーター。
【請求項１６】
回転軸；
前記回転軸が配置されるホールを含むステータ；
前記ステータの外側に配置されるロータ；
前記回転軸と結合するファン；および
前記ステータおよび前記ロータが配置されるハウジングを含み、
前記ロータはヨークと前記ヨークと結合する第１マグネットを含み、
前記第１マグネットと前記ステータの間に配置される磁性流体をさらに含むファンモーターを含む、車両。
【発明の詳細な説明】
【技術分野】
【０００１】
実施例はファンモーターおよびこれを含む車両に関するものである。
【背景技術】
【０００２】
ファンモーターはロータにブレードが結合されて空気を供給または排出する送風用装置である。ファンモーターはロータとステータとブレードを含み、ステータの外側にロータが設置される。そして、ステータには回転磁界を形成するコイルが巻線され得、ロータとの電気的な相互作用を誘発してロータの回転を誘導する。ロータが回転するとロータに結合されたブレードが回転する。
【０００３】
ファンモーターのハウジングは内部にロータ、ステータおよびファンを含む。ただし、ファンモーターのハウジングは送風口が具現されて開放された状態である。したがって、塩分を含む水分（以下、塩水という）が浸透してマグネットが含まれたロータまたはステータを腐食させる問題点がある。
【発明の概要】
【発明が解決しようとする課題】
【０００４】
そこで、実施例は前記した問題点を解決するためのものであって、塩水が流入することを防止するファンモーターおよびこれを含む車両を提供することをその目的とする。
【０００５】
本発明が解決しようとする課題は以上で言及された課題に限定されず、ここで言及されていないさらに他の課題は下記の記載から当業者に明確に理解されるはずである。
【課題を解決するための手段】
【０００６】
前記目的を達成するための実施例は、回転軸と、前記回転軸が配置されるホールを含むステータと、前記ステータの外側に配置されるロータと、前記回転軸と結合するファンおよび前記ステータおよび前記ロータが配置されるハウジングを含み、前記ロータはヨークと前記ヨークと結合する第１マグネットを含み、前記第１マグネットと前記ステータの間に配置される磁性流体をさらに含むことができる。
【０００７】
好ましくは、前記磁性流体は前記第１マグネットの下端部に塗布され得る。
【０００８】
好ましくは、前記ヨークは前記ヨークの下端で前記回転軸方向に折り曲げられて延びる飛散防止部を含むことができる。
【０００９】
好ましくは、前記飛散防止部の上面と前記第１マグネットの下面は面接触することができる。
【００１０】
好ましくは、前記ハウジングは前記ハウジングの下面から円筒状に上側に突出して内周面を有する柱部を含み、前記柱部は前記回転軸と前記ステータの間に配置され得る。
【００１１】
好ましくは、前記ファンは前記回転軸および前記ロータと結合するハブを含み、前記ロータの前記ヨークは前記ハブと前記ステータの間に配置され、前記ロータの前記第１マグネットは前記ヨークと前記ステータの間に配置され得る。
【００１２】
前記目的を達成するための他の実施例は、回転軸と、前記回転軸が配置されるホールを含むステータと、前記ステータの外側に配置されるロータと、前記回転軸と結合するファンおよび前記ステータおよび前記ロータが配置されるハウジングを含み、前記ロータはヨークと前記ヨークと結合する第１マグネットを含み、前記ファンまたは前記ハウジングのうち少なくとも一つに第２マグネットが配置され、前記第２マグネット上に配置される磁性流体をさらに含むことができる。
【００１３】
好ましくは、前記第２マグネットは表面の一部が外部に露出するように前記ファンに結合することができる。
【００１４】
好ましくは、前記ハウジングは前記ファンモーターの下端部と向かい合う底面を含み、前記第２マグネットは露出した表面が前記ハウジングの前記底面に向かうように前記ファンの下端部に結合することができる。
【００１５】
好ましくは、前記ハウジングは前記ファンモーターの下端部と向かい合う底面を含み、前記第２マグネットは表面の一部が外部に露出するように前記ハウジングの前記底面に結合することができる。
【００１６】
好ましくは、前記ハウジングは、前記底面から前記回転軸方向に突出する飛散防止部をさらに含むことができる。
【００１７】
好ましくは、前記飛散防止部は前記回転軸の中心を基準として前記ファンの外側と前記第２マグネットの間に配置され得る。
【００１８】
好ましくは、前記飛散防止部は前記回転軸の中心を基準として円周方向に沿って前記ハウジングの前記底面から上側に突出され得る。
【００１９】
好ましくは、前記第２マグネットは前記回転軸を中心として前記ファンの半径内に配置され得る。
【００２０】
好ましくは、前記磁性流体は前記回転軸方向に前記回転軸と一部がオーバーラップされ得る。
【００２１】
前記目的を達成するための実施例は、回転軸と、前記回転軸が配置されるホールを含むステータと、前記ステータの外側に配置されるロータと、前記回転軸と結合するファンおよび前記ステータおよび前記ロータが配置されるハウジングを含み、前記ロータはヨークと前記ヨークと結合する第１マグネットを含み、前記第１マグネットと前記ステータの間に配置される磁性流体をさらに含むファンモーターを含むことができる。
【発明の効果】
【００２２】
実施例によると、ステータとロータのマグネットとの隙間に充填された磁性流体がモーターの内部を密閉することによって、塩水や異物がモーターの内部に流入することを防止する有利な効果を提供する。
【００２３】
実施例によると、ファンの下端とハウジングの底面との隙間に充填された磁性流体がモーターの内部を密閉することによって、塩水や異物がモーターの内部に流入することを防止する有利な効果を提供する。
【図面の簡単な説明】
【００２４】
【図１】実施例に係るファンモーターを図示した図面。
【図２】図１のＡ−Ａを基準とするファンモーターの断面図。
【図３】第１変形例に係るファンモーターを図示した図面。
【図４】図３のファンモーターでステータとロータのマグネットとの隙間に位置する磁性流体を図示した図面。
【図５】第２変形例に係るファンモーターを図示した図面。
【図６】図５のファンモーターでハウジングの底とファンのマグネットの隙間に位置する磁性流体を図示した図面。
【図７】第３変形例に係るファンモーターを図示した図面。
【図８】図７のファンモーターでハウジングのマグネットとファンの下端部との隙間に位置する磁性流体を図示した図面。
【発明を実施するための形態】
【００２５】
以下、本発明の好ましい実施例を添付された図面を参照して詳細に説明する。本発明の目的、特定の長所および新規の特徴は添付された図面と関連する以下の詳細な説明と好ましい実施例からさらなる明白になるはずである。そして、本明細書および特許請求の範囲に使用された用語や単語は通常的または辞書的な意味に限定して解釈されてはならず、発明者は自分の発明を最も最善の方法で説明するために用語の概念を適切に定義することができるという原則に則って、本発明の技術的思想に符合する意味と概念に解釈されるべきである。そして、本発明の説明において、本発明の要旨を不要に曖昧にさせる恐れがある関連した公知の技術についての詳細な説明は省略する。
【００２６】
図１は実施例に係るファンモーターを図示した図面であり、図２は図１のＡ−Ａを基準とするファンモーターの断面図である。
【００２７】
図１および図２を参照すると、実施例に係るファンモーター１０は、ハウジング１００と、回転軸２００と、ステータ３００と、ロータ４００と、ファン５００を含むことができる。
【００２８】
ハウジング１００は吸い込んだ空気を排出する送風口とこれに対応する流路が設けられ得る。そして、ハウジング１００は柱部１０１を含むことができる。柱部１０１はハウジング１００の底面から垂直に突出して形成され得る。そして、柱部１０１は中空型で内部が空いているように形成され得る。
【００２９】
柱部１０１の内部にはベアリング１１１が設置され得る。
【００３０】
回転軸２００はベアリング１１１に差し込まれて柱部１０１の内部で回転可能に配置される。回転軸２００はロータ４００と連結される。そして、回転軸２００の上端はファン５００と連結され得る。
【００３１】
ステータ３００は柱部１０１に差し込まれて結合され得る。ステータ３００はロータ４００の電気的な相互作用を誘発してロータ４００体の回転を誘導する。ロータ４００と相互作用を誘発するためにステータ３００にコイルが巻かれ得る。コイルが巻かれるためのステータの具体的な構成は次の通りである。
【００３２】
ステータ３００は複数個のティスを含むステータコアを含むことができる。ステータコアは環状のヨークが設けられ、ヨークから外側へ向かうティスが設けられ得る。ティスはヨークの周りに沿って一定の間隔で設けられ得る。一方、ステータコアは薄い鋼板形態の複数個のプレートが相互に積層されて構成され得る。
【００３３】
ロータ４００はステータ３００の外側に配置される。ロータ４００はヨーク４１０と第１マグネット４２０を含むことができる。ヨーク４１０はファン５００のハブ５１０の内側に結合する。ヨーク４１０の側面部の内周面には第１マグネット４２０が付着され得る。
【００３４】
ファン５００のハブ５１０は回転軸２００と結合する。回転軸２００が回転するにつれてファン５００が回転して送風する。
【００３５】
印刷回路基板６００のファン５００の下に配置され、ハウジング１００に結合できる。
【００３６】
図３は第１変形例に係るファンモーターを図示した図面であり、図４は図３のファンモーターでステータとロータのマグネットとの隙間に位置する磁性流体を図示した図面である。
【００３７】
図３および図４を参照すると、ロータ４００の第１マグネット４２０に磁性流体７００が塗布され得る。磁性流体は、液体の中に磁性粉末をコロイド状に安定および分散させた後、沈殿や凝集が発生しないように界面活性剤を添加した流体である。
【００３８】
磁性流体７００は第１マグネット４２０の下端部に塗布され得る。これは、第１マグネット４２０の下端部とステータ３００の間隔が塩水が流入する入口となり得るため、塩水の流入を効果的に遮断するためである。
【００３９】
ステータ３００と第１マグネット４２０の間隔が非常に小さいため、第１マグネット４２０の表面に磁性流体７００が塗布されると、第１マグネット４２０の下端部とステータ３００の間隔を磁性流体７００が埋めることによって、ファンモーターの内部に塩水や異物が流入することを防ぐことになる。
【００４０】
図４を参照すると、ヨーク４１０は飛散防止部４１１を含むことができる。飛散防止部４１１はヨーク４１０の下端で内側に折り曲げられて延長形成され得る。このような飛散防止部４１１はステータ３００と第１マグネット４２０の下端部の隙間に位置した磁性流体７００がロータ４００の回転によってヨーク４１０の外に飛散することを物理的に防止する役割をする。
【００４１】
図５は第２変形例に係るファンモーターを図示した図面であり、図６は図５のファンモーターでハウジングの底とファンのマグネットの隙間に位置する磁性流体を図示した図面である。
【００４２】
図５および図６を参照すると、別途の第２マグネット８００がファン５００のブレードの下端部に設置され得る。この時、第２マグネット８００は表面の一部８１０が露出するようにファン５００のブレードに設置され得る。露出した第２マグネット８００の表面の一部８１０はハウジング１００の底面１１０を向くことになる。第２マグネット８００はファン５００にインサートモールディングを通じて一体に成形され得る。第２マグネット８００はファン５００のすべてのブレードに設置され得る。
【００４３】
磁性流体７００は露出した第２マグネット８００の表面の一部８１０に塗布される。ハウジング１００の底面１１０と第２マグネット８００との隙間が非常に小さいため、第２マグネット８００の表面に磁性流体７００が塗布されると、第２マグネット８００とハウジング１００の底面１１０との隙間を磁性流体７００が埋めながらファンモーターの内部に塩水や異物が流入することを防ぐことになる。
【００４４】
図６を参照すると、ハウジング１００は飛散防止部１２０を含むことができる。飛散防止部１２０はハウジング１００の底面１１０から突出し、半径方向を基準として第２マグネット８００とファン５００の外郭との間に位置する。このような飛散防止部１２０は回転軸（図５の２００）を中心に円周方向に沿って形成され得る。
【００４５】
このような飛散防止部１２０は第２マグネット８００とハウジング１００の底面１１０との隙間に位置した磁性流体７００がロータ４００の回転によってファン５００の外に飛散することを物理的に防止する。
【００４６】
図７は第３変形例に係るファンモーターを図示した図面であり、図８は図７のファンモーターでハウジングのマグネットとファンの下端部との隙間に位置する磁性流体を図示した図面である。
【００４７】
図７および図８を参照すると、別途の第２マグネット８００がハウジング１００の底面１１０に設置され得る。この時、第２マグネット８００は表面の一部８１０が露出するようにハウジング１００の底面１１０に設置され得る。露出した第２マグネット８００の表面の一部８１０はファン５００の下端部を向くことになる。第２マグネット８００はハウジング１００にインサートモールディングを通じて一体に成形され得る。第２マグネット８００は回転軸（図７の２００）を中心に円周方向に沿って形成され得る。そして、第２マグネット８００は回転軸（図７の２００）を中心に半径方向にファン５００の半径内に配置される。
【００４８】
磁性流体７００は露出した第２マグネット８００の表面の一部８１０に塗布される。ハウジング１００の底面１１０と第２マグネット８００との隙間が非常に小さいため、第２マグネット８００の表面に磁性流体７００が塗布されると、第２マグネット８００とファン５００の下端部との隙間を磁性流体７００が埋めながらファンモーターの内部に塩水や異物が流入することを防ぐことになる。
【００４９】
図８を参照すると、ハウジング１００は飛散防止部１２０を含むことができる。飛散防止部１２０はハウジング１００の底面１１０から突出し、半径方向を基準として第２マグネット８００とファン５００の外郭との間に位置する。このような飛散防止部１２０は回転軸（図7の２００）を中心に円周方向に沿って形成され得る。
【００５０】
このような飛散防止部１２０は第２マグネット８００とファン５００の下端部との隙間に位置した磁性流体７００がロータ４００の回転によってファン５００の外に飛散することを物理的に防止する。
【００５１】
以上、本発明の好ましい一実施例に係るファンモーターおよびこれを含む車両について添付された図面を参照して詳察した。
【００５２】
以上の説明は本発明の技術思想を例示的に説明したものに過ぎず、本発明が属する技術分野で通常の知識を有する者であれば本発明の本質的な特性から逸脱しない範囲内で多様な修正、変更および置換が可能である。したがって、本発明に開示された実施例および添付された図面は、本発明の技術思想を限定するためのものではなく説明するためのものであって、このような実施例および添付された図面によって本発明の技術思想の範囲が限定されるものではない。本発明の保護範囲は下記の特許請求の範囲によって解釈されるべきであり、それと同等な範囲内にあるすべての技術思想は本発明の権利範囲に含まれるものと解釈されるべきである。
【符号の説明】
【００５３】
１０：ファンモーター
１００：ハウジング
１０１：柱部
１１０：底面
１２０、４１１：飛散防止部
２００：回転軸
３００：ステータ
４００：ロータ
４１０：ヨーク
４２０：第１マグネット
５００：ファン
６００：印刷回路基板
７００：磁性流体
８００：第２マグネット
【図１】
2019523625.tif 000003
【図２】
2019523625.tif 000004
【図３】
2019523625.tif 000005
【図４】
2019523625.tif 000006
【図５】
2019523625.tif 000007
【図６】
2019523625.tif 000008
【図７】
2019523625.tif 000009
【図８】
2019523625.tif 000010
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
回転軸；
前記回転軸が配置されるホールを含むステータ；
前記ステータの外側に配置されるロータ；
前記回転軸と結合するファン；および
前記ステータおよび前記ロータが配置されるハウジングを含み、
前記ロータはヨークと前記ヨークと結合する第１マグネットを含み、
前記第１マグネットと前記ステータの間に配置される磁性流体をさらに含み、
前記磁性流体は前記第１マグネットの下端部に配置され、
前記ヨークは前記ヨークの下端で前記回転軸方向に折り曲げられて延びる飛散防止部を含む、ファンモーター。
【請求項２】
前記飛散防止部の一部は、前記磁性流体と前記回転軸方向にオーバーラップされる、請求項１に記載のファンモーター。
【請求項３】
前記飛散防止部は、前記回転軸に向かって前記第1マグネットより突出されている、請求項1に記載のファンモーター。
【請求項４】
前記飛散防止部の上面と前記第１マグネットの下面は面接触する、請求項1に記載のファンモーター。
【請求項５】
前記ハウジングは前記ハウジングの下面から円筒状に上側に突出して内周面を有する柱部を含み、
前記柱部は前記回転軸と前記ステータの間に配置される、請求項１に記載のファンモーター。
【請求項６】
前記ファンは前記回転軸および前記ロータと結合するハブを含み、
前記ロータの前記ヨークは前記ハブと前記ステータの間に配置され、
前記ロータの前記第１マグネットは前記ヨークと前記ステータの間に配置される、請求項５に記載のファンモーター。
【請求項７】
回転軸；
前記回転軸が配置されるホールを含むステータ；
前記ステータの外側に配置されるロータ；
前記回転軸と結合するファン；および
前記ステータおよび前記ロータが配置されるハウジングを含み、
前記ロータはヨークと前記ヨークと結合する第１マグネットを含み、
前記ファンまたは前記ハウジングのうち少なくとも一つに第２マグネットが配置され、
前記第２マグネット上に配置される磁性流体をさらに含み、
前記ハウジングは底面から前記回転軸方向に突出する飛散防止部をさらに含み、
前記飛散防止部は前記回転軸の中心から、半径方向に、前記ファンの外側と前記第２マグネットの間に配置される、ファンモーター。
【請求項８】
前記第２マグネットは表面の一部が外部に露出するように前記ファンに結合する、請求項７に記載のファンモーター。
【請求項９】
前記ハウジングは前記ファンモーターの下端部と向かい合う底面を含み、
前記第２マグネットは露出した表面が前記ハウジングの前記底面に向かうように前記ファンの下端部に結合する、請求項８に記載のファンモーター。
【請求項１０】
前記ハウジングは前記ファンモーターの下端部と向かい合う底面を含み、
前記第２マグネットは表面の一部が外部に露出するように前記ハウジングの前記底面に結合する、請求項７に記載のファンモーター。
【請求項１１】
前記ハウジングは、
前記飛散防止部は、前記ファンの下側に配置され、前記回転軸の方向に、前記ファンと離隔配置される、請求項８または請求項１０に記載のファンモーター。
【請求項１２】
前記飛散防止部の最上段は、露出された前記第2のマグネットの表面の一部よりも高く配置される、請求項10に記載のファンモーター。
【請求項１３】
前記飛散防止部は前記回転軸の中心を基準として円周方向に沿って前記ハウジングの前記底面から上側に突出する、請求項１１に記載のファンモーター。
【請求項１４】
前記第２マグネットは前記回転軸を中心として前記ファンの半径内に配置される、請求項７に記載のファンモーター。
【請求項１５】
前記磁性流体は前記回転軸方向に前記第２マグネットと一部がオーバーラップされる、請求項１４に記載のファンモーター。
【請求項１６】
回転軸；
前記回転軸が配置されるホールを含むステータ；
前記ステータの外側に配置されるロータ；
前記回転軸と結合するファン；および
前記ステータおよび前記ロータが配置されるハウジングを含み、
前記ロータはヨークと前記ヨークと結合する第１マグネットを含み、
前記第１マグネットと前記ステータの間に配置される磁性流体をさらに含むファンモーターを含み、
前記磁性流体は前記第１マグネットの下端部に配置され、
前記ヨークは前記ヨークの下端で前記回転軸方向に折り曲げられて延びる飛散防止部を含む、車両。
【国際調査報告】
2019523625.tif 000011
2019523625.tif 000012
2019523625.tif 000013
2019523625.tif 000014